(57)【要約】【課題】意図しない操作が受け付けられたことによる違和感を抑制することができる操作装置及び操作制御方法を提供する。【解決手段】ステアリングスイッチ装置１は、第１の操作面になされた操作を受け付けた後、第１の操作面に隣接する隣接操作面になされた操作を予め定められた期間、受け付けない制御部１４を備えて概略構成されている。このステアリングスイッチ装置１は、意図しない操作が受け付けられたことによる違和感を抑制することができる。【選択図】図１
2020057540.tif 000002
【特許請求の範囲】
【請求項１】
第１の操作面になされた操作を受け付けた後、前記第１の操作面に隣接する隣接操作面になされた操作を予め定められた期間、受け付けない制御部を備えた操作装置。
【請求項２】
前記第１の操作面を有し、前記第１の操作面になされたプッシュ操作を検出するプッシュスイッチと、
前記隣接操作面を有し、前記隣接操作面になされたタッチ操作を検出するタッチスイッチと、
を備え、
前記制御部は、前記プッシュスイッチになされたプッシュ操作を受け付けた後、前記予め定められた期間、前記タッチスイッチになされたタッチ操作を受け付けない制御を行う、
請求項１に記載の操作装置。
【請求項３】
前記制御部は、タッチ操作を検出するためのしきい値を有し、前記しきい値を変更することで前記タッチスイッチに対するタッチ操作を受け付けない制御を行う、
請求項２に記載の操作装置。
【請求項４】
前記プッシュスイッチは、前記第１の操作面になされたタッチ操作を検出するタッチセンサを有し、
前記制御部は、前記第１の操作面になされたタッチ操作に応じて電気的に接続された表示装置に第１の表示を行わせるタッチ操作信号を出力し、また前記第１の操作面になされたプッシュ操作の検出に応じて前記表示装置に第２の表示を行わせるプッシュ操作信号を出力するように構成され、当該プッシュ操作が検出されなくなったことをトリガとして前記予め定められた期間、継続して前記第２の表示を表示させる、
請求項２又は３に記載の操作装置。
【請求項５】
第１の操作面になされた操作を受け付けた後、前記第１の操作面に隣接する隣接操作面になされた操作を予め定められた期間、受け付けないことを含む操作制御方法。
【発明の詳細な説明】
【技術分野】
【０００１】
本発明は、操作装置及び操作制御方法に関する。
【背景技術】
【０００２】
従来の技術として、車両に設けられ、操作者の接触及び操作を区別して検出する操作スイッチと、操作者から視認可能な位置に設けられる表示装置と、操作スイッチへの接触が検出された場合に、操作スイッチへの操作が検出されたときに作動する機能に関する情報を表示装置に表示する制御装置と、を備える車両用表示システムが知られている（例えば、特許文献１参照。）。
【０００３】
この操作スイッチは、十字キーと、十字キーの中心部に配置された第１プッシュボタンと、を備えて構成されている。
【先行技術文献】
【特許文献】
【０００４】
【特許文献１】特開２０１８−１０３７７０号公報
【発明の概要】
【発明が解決しようとする課題】
【０００５】
この従来の車両用表示システムは、例えば、操作スイッチの第１プッシュボタンに対してプッシュ操作を行った後、第１プッシュボタンから操作指を離す際、第１プッシュボタンに隣接する十字キーに触れると、ユーザの意図しない表示がなされてユーザに違和感を与える可能性がある。
【０００６】
従って本発明の目的は、意図しない操作が受け付けられたことによる違和感を抑制することができる操作装置及び操作制御方法を提供することにある。
【課題を解決するための手段】
【０００７】
本発明の一態様は、第１の操作面になされた操作を受け付けた後、第１の操作面に隣接する隣接操作面になされた操作を予め定められた期間、受け付けない制御部を備えた操作装置を提供する。
【０００８】
本発明の他の態様は、第１の操作面になされた操作を受け付けた後、第１の操作面に隣接する隣接操作面になされた操作を予め定められた期間、受け付けないことを含む操作制御方法を提供する。
【発明の効果】
【０００９】
本発明によれば、意図しない操作が受け付けられたことによる違和感を抑制することができる。
【図面の簡単な説明】
【００１０】
【図１】図１（ａ）は、実施の形態に係るステアリングスイッチ装置の一例が配置された車両内部の概略図であり、図１（ｂ）は、ステアリングスイッチ装置のブロック図の一例である。
【図２】図２（ａ）は、実施の形態に係るステアリングスイッチ装置のプッシュスイッチと十字スイッチの一例を示す概略図であり、図２（ｂ）は、表示装置に表示された初期表示の一例を示す概略図である。
【図３】図３（ａ）は、実施の形態に係るステアリングスイッチ装置が表示装置に表示させる第１の表示の一例を示す概略図であり、図３（ｂ）は、第２の表示の一例である。
【図４】図４（ａ）及び図４（ｂ）は、実施の形態に係るステアリングスイッチ装置を操作する際の不要な動作の検出の一例について説明するための概略図であり、図４（ｃ）は、プッシュ操作時の初期表示、第１の表示及び第２の表示の切り替わりの一例について説明するための概略図である。
【図５】図５（ａ）は、実施の形態に係るステアリングスイッチ装置の十字スイッチのタッチセンサのしきい値の変更の一例について説明するためのグラフであり、図５（ｂ）は、変形例に係る操作装置の一例を説明するための概略図である。
【図６】図６は、実施の形態に係るステアリングスイッチ装置の動作の一例を示す概略図である。
【発明を実施するための形態】
【００１１】
（実施の形態の要約）
実施の形態に係る操作装置は、第１の操作面になされた操作を受け付けた後、第１の操作面に隣接する隣接操作面になされた操作を予め定められた期間、受け付けない制御部を備えて概略構成されている。
【００１２】
この操作装置は、ユーザが意図した第１の操作面に対する操作の後、ユーザが意図せず隣接する隣接操作面に接触するなどして操作を行ったとされるようなことが生じても予め定められた期間、操作を受け付けない制御を行うので、この構成を採用しない場合と比べて、意図しない操作が受け付けられたことによる違和感を抑制することができる。
【００１３】
[実施の形態]
（ステアリングスイッチ装置１の概要）
以下に本実施の形態に係る操作装置としてのステアリングスイッチ装置１について各図を参照しながら説明する。なお以下に記載する実施の形態に係る各図において、図形間の比率は、実際の比率とは異なる場合がある。また図１（ｂ）では、主な信号や情報の流れを矢印で示している。さらに数値範囲を示す「Ａ〜Ｂ」は、Ａ以上Ｂ以下の意味で用いるものとする。
【００１４】
ステアリングスイッチ装置１は、例えば、図１（ａ）に示すように、車両８のステアリング８０の左右に配置されている。このステアリング８０は、ステアリングシャフトが連結されるホーンパッド部８００と、ユーザが把持する部分であり、リング形状を有する把持部８０１と、ホーンパッド部８００と把持部８０１とを連結するスポーク部８０２ａ〜スポーク部８０２ｄと、を備えて概略構成されている。
【００１５】
ステアリング８０は、例えば、図１（ａ）の紙面において間隔を空けて時計回りにスポーク部８０２ａ〜スポーク部８０２ｄが配置されている。図１（ａ）の紙面のステアリング８０を時計に模した場合、およそ３時の位置にスポーク部８０２ａが位置すると共に、およそ９時の位置にスポーク部８０２ｄが位置している。
【００１６】
ステアリングスイッチ装置１は、例えば、スポーク部８０２ａ及びスポーク部８０２ｄが位置するホーンパッド部８００の搭載部８０３及び搭載部８０４に配置されている。このステアリングスイッチ装置１は、車両８に搭載された電子機器の操作部として機能するように構成されている。またステアリングスイッチ装置１は、例えば、タッチ操作がなされたスイッチに割り当てられた機能を画像として電気的に接続された表示装置に表示させるように構成されている。
【００１７】
この表示装置としては、例えば、図１（ａ）に示すように、センターコンソール８１に配置されたメインモニタ８２、インストルメントパネル８３に配置されたサブモニタ８４、及びフロントガラス８５に画像を投影するヘッドアップディスプレイ８６などを用いることが可能である。本実施の形態の表示装置は、一例として、ヘッドアップディスプレイ８６である。
【００１８】
以下では、図１（ａ）の紙面右側の搭載部８０３に配置されたステアリングスイッチ装置１について説明する。なお操作装置は、ステアリングスイッチ装置１に限定されず、様々な仕様の操作装置として使用可能である。
【００１９】
ステアリングスイッチ装置１は、例えば、図１（ｂ）に示すように、第１の操作面になされた操作を受け付けた後、第１の操作面に隣接する隣接操作面になされた操作を予め定められた期間、受け付けない制御部１４を備えて概略構成されている。
【００２０】
またステアリングスイッチ装置１は、第１の操作面としての中央操作面１０ａを有し、中央操作面１０ａになされたプッシュ操作を検出するプッシュスイッチ１０と、隣接操作面としての上側操作面１２ａ〜左側操作面１２ｄを有し、上側操作面１２ａ〜左側操作面１２ｄになされたタッチ操作を検出するタッチスイッチとしての十字スイッチ１２と、を備えている。制御部１４は、プッシュスイッチ１０になされたプッシュ操作を受け付けた後、予め定められた期間、十字スイッチ１２になされたタッチ操作を受け付けない制御を行うように概略構成されている。
【００２１】
このプッシュスイッチ１０と十字スイッチ１２は、例えば、図２（ａ）に示すように、隣接して配置されている。また予め定められた期間は、例えば、ユーザが意図しない操作を受け付けない、つまり不要な動作を除去する期間であるので、以下では除去期間Ｔと記載する。
【００２２】
中央操作面１０ａは、プッシュスイッチ１０の表面である。上側操作面１２ａ〜左側操作面１２ｄは、十字スイッチ１２の表面を４分割したものである。十字スイッチ１２は、この上側操作面１２ａ〜左側操作面１２ｄごとに操作に対する機能が割り付けられている。
【００２３】
またステアリングスイッチ装置１は、例えば、図２（ａ）及び図２（ｂ）に示すように、プッシュスイッチ１０の中央操作面１０ａ、又は十字スイッチ１２の上側操作面１２ａ〜左側操作面１２ｄに触れると、触れた箇所が分かるようにヘッドアップディスプレイ８６の表示を変化させるように構成されている。
【００２４】
制御部１４は、タッチ操作を検出するためのしきい値（第２のタッチしきい値Ｔｈ２）を有し、第２のタッチしきい値Ｔｈ２を変更することで十字スイッチ１２に対するタッチ操作を受け付けない制御を行うように構成されている。
【００２５】
またプッシュスイッチ１０は、例えば、図１（ｂ）に示すように、中央操作面１０ａになされたタッチ操作を検出するタッチセンサ１０１を有している。そして制御部１４は、例えば、図３（ａ）及び図３（ｂ）に示すように、中央操作面１０ａになされたタッチ操作に応じて電気的に接続された表示装置に第１の表示８６１を行わせるタッチ操作信号Ｓ５を出力し、また中央操作面１０ａになされたプッシュ操作の検出に応じて表示装置に第２の表示８６２を行わせるプッシュ操作信号Ｓ６を出力するように構成され、当該プッシュ操作が検出されなくなったことをトリガとして予め定められた期間（除去期間Ｔ）、継続して第２の表示８６２を表示させるように概略構成されている。
【００２６】
（プッシュスイッチ１０の構成）
プッシュスイッチ１０は、例えば、図１（ｂ）及び図２（ａ）に示すように、プッシュボタン１００と、タッチセンサ１０１と、プッシュスイッチ部１０２と、を備えて概略構成されている。
【００２７】
プッシュボタン１００は、例えば、樹脂材料によって円柱形状に形成されている。そしてプッシュボタン１００の表面である中央操作面１０ａは、円形状を有している。このプッシュボタン１００の端部には、プッシュスイッチ部１０２が接触するように配置されている。
【００２８】
タッチセンサ１０１は、例えば、中央操作面１０ａに対する操作指の接触を検出する静電容量方式のセンサである。このタッチセンサ１０１は、検出電極が中央操作面１０ａの下方に配置されている。タッチセンサ１０１は、検出電極と操作指との間に形成される静電容量の情報である静電容量情報Ｓ１を周期的に制御部１４に出力するように構成されている。
【００２９】
プッシュスイッチ部１０２は、プッシュボタン１００になされたプッシュ操作によってオン状態となるメカニカルスイッチである。プッシュスイッチ部１０２は、プッシュ操作によってオン状態となると、スイッチ信号Ｓ２を制御部１４に出力する。
【００３０】
なおプッシュスイッチ部１０２は、例えば、プッシュ操作によるプッシュボタン１００の押し込みによりオン状態となり、押し込みが終わるとオフ状態に移行すると共にプッシュボタン１００が元の位置に戻るモーメンタリスイッチである。このオン状態とは、プッシュ操作が検出されている状態（プッシュオン）であり、オフ状態とは、プッシュ操作が検出されなくなった状態（プッシュオフ）である。
【００３１】
プッシュスイッチ部１０２は、一例として、固定接点と、この固定接点と対向するラバードームに配置された可動接点と、を有し、プッシュ操作によってラバードームが変形して可動接点と固定接点とが接触してオン状態となり、プッシュ操作が解除されると、ラバードームの形状が戻ることで接触が解除されてオフ状態となるように構成されている。なおプッシュスイッチ部１０２は、例えば、マイクロスイッチや荷重センサなどであっても良い。
【００３２】
プッシュスイッチ１０は、一例として、ヘッドアップディスプレイ８６に表示された、選択された状態にある画像に割り当てられた機能の実行を指示する機能が割り当てられている。
【００３３】
（十字スイッチ１２の構成）
十字スイッチ１２は、例えば、図１（ｂ）に示すように、十字ボタン１２０と、タッチセンサ１２１と、十字スイッチ部１２２と、を備えて概略構成されている。
【００３４】
十字ボタン１２０は、例えば、樹脂材料によって円板形状に形成されている。その中央には、円形の開口１２０ａが形成され、その開口１２０ａにプッシュボタン１００が配置されている。十字ボタン１２０は、例えば、図２（ａ）に示すように、上下左右の４方向のプッシュ操作が十字スイッチ部１２２によって検出されるように構成されている。
【００３５】
タッチセンサ１２１は、例えば、十字ボタン１２０の上側操作面１２ａ、下側操作面１２ｂ、右側操作面１２ｃ及び左側操作面１２ｄのいずれかに対する操作指の接触を検出する静電容量方式のセンサである。このタッチセンサ１２１は、４つの検出電極が上側操作面１２ａ、下側操作面１２ｂ、右側操作面１２ｃ及び左側操作面１２ｄの下方に配置されている。タッチセンサ１２１は、それぞれの検出電極と操作指との間に形成される静電容量の情報である静電容量情報Ｓ３を周期的に制御部１４に出力するように構成されている。なお変形例としてタッチセンサ１２１は、操作面の下方に、複数の駆動電極と複数の検出電極を備えた構成であっても良い。
【００３６】
十字スイッチ部１２２は、例えば、上側操作面１２ａ、下側操作面１２ｂ、右側操作面１２ｃ及び左側操作面１２ｄになされたプッシュ操作によってオン状態となるメカニカルスイッチである。このメカニカルスイッチは、例えば、各操作面の下方に配置されている。十字スイッチ部１２２は、プッシュ操作によってオン状態となると、プッシュ操作がなされた操作面に応じたスイッチ信号Ｓ４を制御部１４に出力する。
【００３７】
この十字スイッチ部１２２は、例えば、プッシュ操作による十字ボタン１２０の押し込みによりオン状態となり、押し込みが終わるとオフ状態に移行する共に十字ボタン１２０が元の位置に戻るモーメンタリスイッチである。
【００３８】
具体的には、十字スイッチ部１２２は、例えば、上述の固定接点と可動接点を有する構成でも良いし、荷重センサや４つのマイクロスイッチによって押し込みを検出する構成であっても良い。
【００３９】
十字スイッチ１２は、一例として、音量を調整する機能が上側操作面１２ａに割り当てられている。十字スイッチ１２は、一例として、接続された電子機器のモード（ＭＯＤＥ）を切り替える機能が下側操作面１２ｂに割り当てられている。十字スイッチ１２は、一例として、ヘッドアップディスプレイ８６に表示された、選択された状態にある画像の次の画像が選択された状態となるように送る機能が右側操作面１２ｃに割り当てられている。そして十字スイッチ１２は、一例として、選択された状態にある画像の前の画像が選択された状態となるように戻る機能が左側操作面１２ｄに割り当てられている。
【００４０】
（制御部１４の構成）
制御部１４は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部１４が動作するためのプログラムが格納されている。ＲＡＭは、例えば、一時的に演算結果などを格納する記憶領域として用いられる。また制御部１４は、例えば、第１のタッチしきい値Ｔｈ１〜第３のタッチしきい値Ｔｈ３をＲＡＭ又はＲＯＭに有している。さらに制御部１４は、その内部にクロック信号を生成する手段を有し、このクロック信号に基づいて動作を行うと共に時間の計測を行う。
【００４１】
制御部１４は、プッシュスイッチ１０のタッチセンサ１０１から取得した静電容量情報Ｓ１と第１のタッチしきい値Ｔｈ１とを比較し、静電容量情報Ｓ１に基づく静電容量が第１のタッチしきい値Ｔｈ１以上である場合、中央操作面１０ａにタッチ操作がなされたと判定する。そして制御部１４は、例えば、中央操作面１０ａにタッチ操作がなされたことを示すタッチ操作信号Ｓ５を接続された電子機器に出力する。電子機器は、例えば、タッチ操作信号Ｓ５に基づいてヘッドアップディスプレイ８６の表示を制御する。
【００４２】
また制御部１４は、プッシュスイッチ１０のプッシュスイッチ部１０２から出力されるスイッチ信号Ｓ２に基づいてプッシュ操作を判定し、プッシュオンの場合にプッシュ操作信号Ｓ６を接続された電子機器に出力する。電子機器は、例えば、プッシュ操作信号Ｓ６に基づいてヘッドアップディスプレイ８６の表示を制御すると共にプッシュスイッチ１０によって指示された機能を実行する。
【００４３】
さらに制御部１４は、十字スイッチ１２のタッチセンサ１２１から取得した静電容量情報Ｓ３と第２のタッチしきい値Ｔｈ２とを比較する。制御部１４は、例えば、上側操作面１２ａに関する静電容量が第２のタッチしきい値Ｔｈ２以上である場合、上側操作面１２ａにタッチ操作がなされたと判定する。そして制御部１４は、上側操作面１２ａにタッチ操作がなされたことを示す上側タッチ操作信号Ｓ７を接続された電子機器に出力する。電子機器は、例えば、上側タッチ操作信号Ｓ７に基づいてヘッドアップディスプレイ８６の表示を制御する。
【００４４】
制御部１４は、例えば、下側操作面１２ｂに関する静電容量が第２のタッチしきい値Ｔｈ２以上である場合、下側操作面１２ｂにタッチ操作がなされたと判定する。そして制御部１４は、下側操作面１２ｂにタッチ操作がなされたことを示す下側タッチ操作信号Ｓ８を接続された電子機器に出力する。電子機器は、例えば、下側タッチ操作信号Ｓ８に基づいてヘッドアップディスプレイ８６の表示を制御する。
【００４５】
制御部１４は、例えば、右側操作面１２ｃに関する静電容量が第２のタッチしきい値Ｔｈ２以上である場合、右側操作面１２ｃにタッチ操作がなされたと判定する。そして制御部１４は、右側操作面１２ｃにタッチ操作がなされたことを示す右側タッチ操作信号Ｓ９を接続された電子機器に出力する。電子機器は、例えば、右側タッチ操作信号Ｓ９に基づいてヘッドアップディスプレイ８６の表示を制御する。
【００４６】
制御部１４は、例えば、左側操作面１２ｄに関する静電容量が第２のタッチしきい値Ｔｈ２以上である場合、左側操作面１２ｄにタッチ操作がなされたと判定する。そして制御部１４は、左側操作面１２ｄにタッチ操作がなされたことを示す左側タッチ操作信号Ｓ１０を電気的に接続された電子機器に出力する。電子機器は、例えば、左側タッチ操作信号Ｓ１０に基づいてヘッドアップディスプレイ８６の表示を制御する。
【００４７】
制御部１４は、例えば、十字スイッチ部１２２から取得したスイッチ信号Ｓ４に基づいて上側操作面１２ａ〜左側操作面１２ｄのいずれの操作面にプッシュ操作がなされたかを判定し、操作情報Ｓ１１として接続された電子機器に出力する。電子機器は、例えば、操作情報Ｓ１１に基づいてヘッドアップディスプレイ８６の表示を制御すると共に十字スイッチ１２によって指示された機能を実行する。
【００４８】
ヘッドアップディスプレイ８６は、例えば、図２（ｂ）に示すように、ステアリングスイッチ装置１にタッチ操作がなされていない場合、初期表示８６０を行う。またヘッドアップディスプレイ８６は、例えば、図３（ａ）に示すように、プッシュスイッチ１０に対してタッチ操作が行われた場合（タッチオン）、第１の表示８６１を行う。そしてヘッドアップディスプレイ８６は、例えば、図３（ｂ）に示すように、プッシュスイッチ１０に対してプッシュ操作が行われた場合（プッシュオン）、第２の表示８６２を行う。
【００４９】
この初期表示８６０は、例えば、図２（ｂ）に示すように、ステアリングスイッチ装置１を模した形状の画像であって、中央操作面１０ａに対応する中央表示８６ａ、上側操作面１２ａ〜左側操作面１２ｄに対応する上側表示８６ｂ〜左側表示８６ｅによって概略構成されている。
【００５０】
第１の表示８６１は、例えば、図３（ａ）に示すように、プッシュスイッチ１０に対するタッチ操作に応じた表示であるので、中央表示８６ａが中央表示８６１ａに切り替わる表示である。この中央表示８６１ａは、一例として、周囲を囲む表示が追加された表示である。
【００５１】
第２の表示８６２は、例えば、図３（ｂ）に示すように、プッシュスイッチ１０に対するプッシュ操作（プッシュオン）に応じた表示であるので、中央表示８６ａが中央表示８６２ａに切り替わる表示である。この中央表示８６２ａは、一例として、初期表示８６０の中央表示８６ａが反転する表示である。
【００５２】
なお十字スイッチ１２の上側表示８６ｂ〜左側表示８６ｅは、一例として、タッチ操作及びプッシュ操作に対して第１の表示８６１及び第２の表示８６２と同様の表示を行う。
【００５３】
ここで図４（ａ）は、一例として、ユーザがステアリング８０を把持した状態で、操作指９（親指）を使ってプッシュボタン１００に対してプッシュ操作を行っている様子を示している。そして図４（ｂ）に示すように、ユーザがプッシュボタン１００から操作指９を離した場合、意図せず十字スイッチ１２の十字ボタン１２０に触れてしまう可能性がある。
【００５４】
ユーザが意図せずプッシュボタン１００に対するプッシュ操作の後に十字ボタン１２０に触れてしまった場合、ヘッドアップディスプレイ８６に意図しない表示がなされてしまう。そこで制御部１４は、例えば、図４（ｃ）に示すように、除去期間Ｔを設定し、意図しない表示を抑制する。
【００５５】
具体的には、制御部１４は、例えば、図４（ｃ）に示すように、プッシュスイッチ１０に対するタッチ操作が検出されると（タッチオン）、初期表示８６０から第１の表示８６１へと表示を切り替えるタッチ操作信号Ｓ５を出力する。
【００５６】
次に制御部１４は、例えば、図４（ｃ）に示すように、プッシュスイッチ１０に対するプッシュ操作が検出されると（プッシュオン）、第１の表示８６１から第２の表示８６２へと表示を切り替えると共にプッシュ操作がなされたことを示すプッシュ操作信号Ｓ６を出力する。
【００５７】
次に制御部１４は、例えば、図４（ｃ）に示すように、プッシュスイッチ１０に対するプッシュ操作が解除されると（プッシュオフ）、第２の表示８６２を継続しつつ除去期間Ｔを設定する。
【００５８】
この除去期間Ｔは、上述のように、十字スイッチ１２に対するタッチ操作を検出しないようにする、又は検出し難くすることで結果的に検出しないように不要動作を除去する期間である。除去期間Ｔは、一例として、プッシュオフをトリガとして１００〜３００ｍｓ程度に設定されるがこれに限定されない。
【００５９】
十字スイッチ１２に対する不要動作を除去する方法としては、一例として、十字スイッチ１２のタッチセンサ１２１から出力される静電容量情報Ｓ３を除去期間Ｔの間、破棄する方法、除去期間Ｔの間、タッチ操作の判定を行わない方法などがある。
【００６０】
本実施の形態の十字スイッチ１２に対する不要動作を除去する方法としては、一例として、図５（ａ）に示すように、十字スイッチ１２に対するタッチ操作が判定され難くするため、第２のタッチしきい値Ｔｈ２を第３のタッチしきい値Ｔｈ３に切り替える方法である。なお図５（ａ）は、横軸が時間、縦軸が静電容量であり、静電容量Ｃが図示されている。
【００６１】
第３のタッチしきい値Ｔｈ３は、第２のタッチしきい値Ｔｈ２よりも高いしきい値である。従って第３のタッチしきい値Ｔｈ３が十分大きいしきい値に設定されれば、タッチ操作の判定が行われてもタッチ操作がなされたと判定されない。
【００６２】
なお変形例としての十字スイッチ１２に対する不要動作を除去する方法は、例えば、タッチセンサ１０１の検出電極に印加する電圧を小さくして操作指の検出感度を低下させる方法である。さらに他の変形例としての十字スイッチ１２に対する不要動作を除去する方法は、例えば、予め定められた関数によって第２のタッチしきい値Ｔｈ２を変更する方法である。ここで十字スイッチ１２に対する不要動作の除去の対象は、十字スイッチ１２に対するタッチ操作であったがこれに限定されず、タッチ操作と共に十字スイッチ１２に対するプッシュ操作を対象としても良い。
【００６３】
制御部１４は、除去期間Ｔが終了すると、第２の表示８６２から初期表示８６０に表示を切り替える表示切替信号Ｓ１２を電子機器に出力する。電子機器は、例えば、表示切替信号Ｓ１２に基づいてヘッドアップディスプレイ８６の表示を制御する。
【００６４】
以下に、本実施の形態のステアリングスイッチ装置１の動作の一例について図６のフローチャートに従って説明する。
【００６５】
（動作）
ステアリングスイッチ装置１の制御部１４は、プッシュスイッチ１０のタッチセンサ１０１、及び十字スイッチ１２のタッチセンサ１２１から出力される静電容量情報Ｓ１及び静電容量情報Ｓ３を監視する。制御部１４は、ステップ１の「Ｙｅｓ」が成り立つ、つまりタッチ操作が検出され（Ｓｔｅｐ１：Ｙｅｓ）、そのタッチ操作が検出されたスイッチがプッシュスイッチ１０であった場合（Ｓｔｅｐ２：Ｙｅｓ）、初期表示８６０から第１の表示８６１に表示を切り替えさせるためにタッチ操作信号Ｓ５を出力する（Ｓｔｅｐ３）。
【００６６】
次に制御部１４は、タッチ操作が検出されたプッシュスイッチ１０のスイッチ信号Ｓ２に基づいてプッシュ操作がなされた、つまりプッシュオンと判定した場合（Ｓｔｅｐ４：Ｙｅｓ）、第１の表示８６１から第２の表示８６２に表示を切り替えさせると共に電子機器に機能を実行させるためのプッシュ操作信号Ｓ６を出力する（Ｓｔｅｐ５）。
【００６７】
次に制御部１４は、スイッチ信号Ｓ２に基づいてプッシュオフとなると、プッシュオフをトリガに除去期間Ｔを設定する（Ｓｔｅｐ６）。
【００６８】
次に制御部１４は、除去期間Ｔが終了すると、第２の表示８６２から初期表示８６０に表示を切り替える表示切替信号Ｓ１２を出力し（Ｓｔｅｐ７）、ステップ１に処理を進める。
【００６９】
ここでステップ２において制御部１４は、十字スイッチ１２がタッチ操作を検出した場合（Ｓｔｅｐ２：Ｎｏ）、タッチされた操作面に応じたタッチ操作信号を電子機器に出力し、操作面に応じた表示をさせる（Ｓｔｅｐ８）。
【００７０】
次に制御部１４は、十字スイッチ部１２２から出力されたスイッチ信号Ｓ４に基づいてプッシュ操作が検出される、つまりプッシュオンと判定した場合（Ｓｔｅｐ９：Ｙｅｓ）、プッシュオンされた操作面に応じた表示をさせると共に機能を実行させる操作情報Ｓ１１を出力する（Ｓｔｅｐ１０）。制御部１４は、プッシュオフになるとステップ７に処理を進めて表示を初期表示８６０に切替させる。
【００７１】
ステップ４において制御部１４は、予め定められた一定期間内にプッシュオンが検出されない場合（Ｓｔｅｐ４：Ｎｏ）、ステップ１に処理を進める。また同様にステップ９において制御部１４は、一定期間内にプッシュオンが検出されない場合（Ｓｔｅｐ９：Ｎｏ）、ステップ１に処理を進める。
【００７２】
（実施の形態の効果）
本実施の形態に係るステアリングスイッチ装置１は、意図しない操作が受け付けられたことによる違和感を抑制することができる。具体的には、ステアリングスイッチ装置１は、ユーザが意図したプッシュスイッチ１０に対する操作の後、ユーザが意図せず隣接する十字スイッチ１２に接触してタッチ操作を行ったとされるようなことが生じても不要動作を受け付けない除去期間Ｔを設定する。従ってステアリングスイッチ装置１は、この構成を採用しない場合と比べて、不要なタッチ操作の誤検出と意図しない表示が抑制されるので、意図しない操作が受け付けられたことによる違和感を抑制することができる。
【００７３】
ステアリングスイッチ装置１は、除去期間Ｔの間、タッチ操作を検出しないようにするため、十字スイッチ１２のタッチセンサ１２１の第２のしきい値Ｔｈ２を第３のしきい値Ｔｈ３に切り替えるので、この構成を採用しない場合と比べて、容易にタッチ操作を検出しないようにすることができる。
【００７４】
ステアリングスイッチ装置１は、除去期間Ｔの間、プッシュオンにより表示される第２の表示８６２を継続して表示させるので、プッシュオフで表示を切り替える場合と比べて、表示が継続されることで違和感が抑制される。
【００７５】
ステアリングスイッチ装置１は、プッシュ操作が終了した後のタッチ操作を不要動作とみなすため、プッシュオフをトリガとして除去期間Ｔを設定するので、他のタイミングをトリガとして設定する場合と比べて、適切な除去期間Ｔを設定することができる。
【００７６】
（他の実施の形態について）
他の実施の形態の操作装置は、第１の操作面及び隣接操作面が１つの操作面を分割したもので構成されている。具体的には、操作装置としてのタッチパッド７は、例えば、図５（ｂ）に示すように、矩形を有する操作面７０が第１の操作面７１及び隣接操作面７２に分割されている。
【００７７】
このタッチパッド７は、第１の操作面７１になされた操作を受け付けた後、第１の操作面７１に隣接する隣接操作面７２になされた操作を予め定められた期間、受け付けない制御部を備えて概略構成されている。この制御部は、例えば、上述の制御部１４と同様の構成を有している。
【００７８】
このタッチパッド７は、例えば、静電容量方式のタッチパッドである。タッチパッド７は、操作面７０の中央が第１の操作面７１であり、その周囲が隣接操作面７２となっている。第１の操作面７１及び隣接操作面７２は、共にタッチ操作を受け付けるように構成されているがこれに限定されず、例えば、荷重センサなどを設けて、プッシュ操作を検出可能としても良い。
【００７９】
さらに他の実施の形態は、第１の操作面になされた操作を受け付けた後、第１の操作面に隣接する隣接操作面になされた操作を予め定められた期間、受け付けないことを含む操作制御方法である。この操作制御方法は、例えば、ハードウェアだけでなく、この操作制御方法を実行させるプログラムやこのプログラムを記録したコンピュータで読み取り可能な記録媒体として提供されたりしても良い。
【００８０】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００８１】
１…ステアリングスイッチ装置、７…タッチパッド、８…車両、９…操作指、１０…プッシュスイッチ、１０ａ…中央操作面、１２…十字スイッチ、１２ａ…上側操作面、１２ｂ…下側操作面、１２ｃ…右側操作面、１２ｄ…左側操作面、１４…制御部、７０…操作面、７１…第１の操作面、７２…隣接操作面、８０…ステアリング、８１…センターコンソール、８２…メインモニタ、８３…インストルメントパネル、８４…サブモニタ、８５…フロントガラス、８６…ヘッドアップディスプレイ、８６ａ…中央表示、８６ｂ〜８６ｅ…上側表示〜左側表示、１００…プッシュボタン、１０１…タッチセンサ、１０２…プッシュスイッチ部、１２０…十字ボタン、１２０ａ…開口、１２１…タッチセンサ、１２２…十字スイッチ部、８００…ホーンパッド部、８０１…把持部、８０２ａ〜８０２ｄ…スポーク部、８０３，８０４…搭載部、８６０…初期表示、８６１…第１の表示、８６１ａ…中央表示、８６２…第２の表示、８６２ａ…中央表示、Ｓ１…静電容量情報、Ｓ２…スイッチ信号、Ｓ３…静電容量情報、Ｓ４…スイッチ信号、Ｓ５…タッチ操作信号、Ｓ６…プッシュ操作信号、Ｓ７…上側タッチ操作信号、Ｓ８…下側タッチ操作信号、Ｓ９…右側タッチ操作信号、Ｓ１０…左側タッチ操作信号、Ｓ１１…操作情報、Ｓ１２…表示切替信号、Ｔ…除去期間、Ｔｈ１〜Ｔｈ３…第１のタッチしきい値〜第３のタッチしきい値
【図１】
2020057540.tif 000003
【図２】
2020057540.tif 000004
【図３】
2020057540.tif 000005
【図４】
2020057540.tif 000006
【図５】
2020057540.tif 000007
【図６】
2020057540.tif 000008